(57)【要約】【課題】空気調和機で生成された冷温風の空調エアを使用した、省コスト・省エネルギーに資することが可能な全空気方式天井冷暖房システムを提供する。【解決手段】各送気空間３内に送気された空気調和機１１からの冷温風の空調エアにより、天井パネルＰを構成する各パネルボード１を上面より冷却又は加温し、該天井パネルＰから冷気、または暖気を部屋Ｒに輻射する天井輻射冷暖房システムと、前記送気空間３内に送気された冷温風の空調エアを、空気調和機１１の送風圧により各送気空間３を介して各パネルボード１の各通気小孔４から部屋Ｒに吹き出して、室内空気と置換して、部屋Ｒを冷却又は加温する置換空調冷暖房システムとの組み合わせにより、全空気方式天井冷暖房システムを構成する。【選択図】図１
2011149677.tif 000002
【特許請求の範囲】
【請求項１】
空気調和機で生成された冷温風をヘッダーへ送る通気ダクトと、
蓄熱材から成る平面板を内部に配置したヘッダーと、
ヘッダーから複数のチャンバーへ空調エアを送る複数の通気ダクトと、
各チャンバーの空調エアを室内へ吹き出すための多数の通気小孔を有する天井材から成ることを特徴とする全空気方式天井冷暖房設備。
【請求項２】
空気調和機で生成された冷温風をヘッダーへ送る通気ダクトと、
蓄熱材から成る平面板を内部に配置したヘッダーと、
ヘッダーから複数のチャンバーへ空調エアを送る複数の通気ダクトと、
各チャンバーの空調エアを室内へ吹き出すための多数の通気小孔を有する天井材から成る設備を用いた全空気方式天井冷暖房方法。
【請求項３】
空気調和機で生成された冷温風をヘッダーへ送る通気ダクトと、
ヘッダーから複数のチャンバーへ空調エアを送る複数の通気ダクトと、
蓄熱材から成る平面板を内部に配置した各チャンバーと、
各チャンバーの空調エアを室内へ吹き出すための多数の通気小孔を有する天井材から成ることを特徴とする全空気方式天井冷暖房設備。
【請求項４】
空気調和機で生成された冷温風をヘッダーへ送る通気ダクトと、
ヘッダーから複数のチャンバーへ空調エアを送る複数の通気ダクトと、
蓄熱材から成る平面板を内部に配置した各チャンバーと、
各チャンバーの空調エアを室内へ吹き出すための多数の通気小孔を有する天井材から成る設備を用いた全空気方式天井冷暖房方法。
【発明の詳細な説明】
【技術分野】
【０００１】  本発明は、空気調和機で生成された冷温風の空調エアを使用した天井輻射型冷暖房システムと、置換空調冷暖房システムとを組み合わせた全空気方式天井冷暖房システムに関するものである。
【背景技術】
【０００２】  従来、空調による冷温風を使用した天井輻射冷暖房システムと、置換空調冷暖房システムとを組み合わせた全空気方式天井冷暖房システムは、実用に供されていなかった。【０００３】  従来は、特許文献１に開示されているように、冷水および温水を生成する冷温水発生機による冷水又は温水を床パネルの下面に、モルタル等の熱伝導率の高い被覆材に被覆されて配設された冷温水パイプに送水して、室内を冷暖房する床冷暖房装置と、冷風又は温風を生成する空気調和機からの冷風又は温風を、前記床パネルの下面の送気通路に送気して、室内の端縁部の床パネルに開口された床吹き出し空調冷暖房装置との組み合わせによる床冷暖房装置が公知である。【０００４】  また従来は他に、特許文献２に開示されているように、空気調和機からの冷温風の空調エアにより、床パネルを下面より冷却又は加温し、床パネルから冷気、または暖気を室内に輻射する床輻射冷暖房システムと、冷温風の空調エアを、床パネルの多数の通気小孔から室内に吹き出して、室内空気と置換して、部屋Ｒを冷却又は加温する置換空調冷暖房システムとの組み合わせによる全空気方式床冷暖房装置が公知である。
【先行技術文献】
【特許文献】
【特許文献１】特許２６０２１９４号公報
【特許文献２】特許３６９９６９９号公報
【発明の概要】
【発明が解決しようとする課題】
【０００５】  しかしながら、前記従来公知の特許文献１に開示された冷暖房装置では、冷水及び温水を生成する冷温水発生機を使用するため、設置費用が高価となり、また高額な冷暖房費用が発生するという課題があった。【０００６】  また、前記従来公知の特許文献２に開示された全空気方式床冷暖房装置では、床パネルに空調エアが室内へ吹き出されるための多数の通気小孔があるため、床上に何らかの物を置いた場合には、該通気小孔の一部が塞がり、室内の空調に支障が発生するという課題があった。【０００７】  本発明は、前記課題を解決すべくなされたもので、従来のように冷温水発生を使用することなく、空気調和機で生成された冷温風の空調エアを使用して、天井から冷暖房することにより、設備費用の軽減を図ることができる全空気方式天井冷暖房システムを提供しようとするものである。
【課題を解決するための手段】
【０００８】  本発明は、空気調和機で生成された冷温風をヘッダーへ送る通気ダクトと、蓄熱材から成る平面板を内部に配置したヘッダーと、ヘッダーからチャンバーへ空調エアを送る通気ダクトと、チャンバーの空調エアを室内へ吹き出すための多数の通気小孔を有する天井材から成ることを特徴とする天井輻射型空気調和設備を採用することにより、上記課題を解決した。
【発明の効果】
【０００９】  本発明によって、天井パネルから冷気、または暖気を室内に輻射する天井輻射冷暖房システムと、冷温風の空調エアを、天井パネルの多数の通気小孔から室内に吹き出して、室内空気と置換して、室内を冷却又は加温する置換空調冷暖房システムとの組み合わせによる全空気方式天井冷暖房システムを構成したので、天井パネルからの輻射効果と室内に吹き出す空調エアの対流効果の相乗作用により、冷暖房効率が良く、快適な環境の提供が可能である。
【図面の簡単な説明】
【００１０】
【図１】本発明全空気方式天井冷暖房装置の第１の実施の形態を示す概略縦断面図である。
【図２】本発明全空気方式天井冷暖房装置のパネルボード部１枚の斜視図である。
【図３】本発明全空気方式天井冷暖房装置のパネルボード部１枚の下面からの斜視図である。
【図４】本発明全空気方式天井冷暖房装置の天井パネル部の斜視図である。
【図５】本発明全空気方式天井冷暖房装置の天井パネル部の下面からの斜視図ある。
【図６】本発明全空気方式天井冷暖房装置のヘッダー部及び天井パネル部の斜視図である。
【図７】本発明全空気方式天井冷暖房装置の第１の実施の形態を示すヘッダー部の断面図である。
【図８】本発明全空気方式天井冷暖房装置の第２の実施の形態を示す概略縦断面図である。
【図９】本発明全空気方式天井冷暖房装置の第２の実施の形態を示すチャンバー部の断面図である。
【発明を実施するための形態】
【００１１】  以下、本発明の実施の形態を図面に基づいて説明する。
【実施例】
【００１２】  図１は、本発明全空気方式天井冷暖房装置の第１の実施の形態を示す概略縦断面図である。すなわち、本発明全空気方式天井冷暖房装置は、各チャンバー２内に送気された空気調和機１１からの冷温風の空調エアにより、天井パネルＰを構成する各パネルボード１を上面より冷却又は加温し、該天井パネルＰから冷気、または暖気を部屋Ｒに輻射する天井輻射冷暖房システムと、前記送気空間３内に送気された冷温風の空調エアを、空気調和機１１の送風圧により各送気空間３を介して各パネルボード１の各通気小孔４から部屋Ｒに吹き出して、室内空気と置換して、部屋Ｒを冷却又は加温する置換空調冷暖房システムとを組み合わせて構成されている。【００１３】  前記各パネルボード１の上部には、図２に示すように、各チャンバー２が穿設されており、チャンバー２には空調エアを吹き込む空調ダクト１０を連結するための連結管３が穿設されている。【００１４】  前記各パネルボード１は、図３に示すように、等間隔を有して多数の通気小孔４が穿設されている。天井パネルＰは、図４に示すように、照明パネル５を避けて、各パネルボード１を並べることによって構成される。【００１５】  チャンバー２に吹き込まれた空調エアによって、各パネルボード１によって構成された天井パネルＰの下面全体から、部屋Ｒ内への輻射効果を有する。またパネルボード１に穿設された多数の通気小孔４を通して、部屋Ｒ内に空調エアが吹き出されるため、天井パネルＰからの輻射効果と部屋Ｒに吹き出す空調エアの対流効果の相乗作用が得られる。図５に本発明全空気方式天井冷暖房装置の天井パネル部の実施例の下面からの斜視図を示す。【００１６】  空気調和機１１からの空調エアは通気ダクト６を通してヘッダー７に吹き込まれる。ヘッダー７は図６に示すように、空調エアを均等に各空調ダクト１０に送気する機能を有する。ヘッダー７の内部には、図７に示すように畜熱材から成る平面板である蓄熱板９が穿設されている。ヘッダー７内に送気された空調エアは蓄熱板９に当たることによって均等に拡散される。【００１７】  また畜熱材から成る蓄熱板９は、空調エアの熱を潜熱蓄熱する効果を有する。例として冷房時は１５℃前後の熱を潜熱蓄熱し、各空調ダクト１０に１５℃前後のエアを送気して、各パネルボード１の表面温度を急激に下げずに２０℃前後に保つ機能を有する。【００１８】  これと共に、室温センサー１２によって空気調和機１１が停止した場合に、室温と同じ２６℃〜２８℃程度のエアが通気ダクト６を通ってヘッダー７内部に穿設された蓄熱板９に当たり、蓄熱板９の熱をエアが吸収して各パネルボード１を冷却し、各パネルボード１に穿設された多数の通気小孔４を通して部屋Ｒ内にエアが吹き出され、各パネルボード１の表面温度の一定化と部屋Ｒ内に吹き出されるエア温度の一定化の効果を有する。【００１９】  さらに図８は、本発明全空気方式天井冷暖房装置の第２の実施の形態を示す概略縦断面図である。前記第１の実施の形態においては、畜熱板９がヘッダー７内に穿設されているが、第２の実施の形態においては、ヘッダー７内には畜熱板は穿設されず、複数のチャンバー２の各々の中に、複数の畜熱板９が穿設されている。この各チャンバー部の断面��を図９に示す。第２の実施の形態では、各パネルボード１に隣接した各チャンバー２内に畜熱板９が穿設されていることから、各パネルボード１に対するエアの前記潜熱蓄熱の効果を、より高めることができる。
【産業上の利用可能性】
【００２０】  本発明は、空気調和システム・冷暖房システムの産業分野で利用されるものである。
【符号の説明】Ｐ  天井パネル、Ｒ  部屋、１  パネルボード、２  チャンバー、３  連結管、４  通気小孔、５  照明パネル、６  通気ダクト、７  ヘッダー、８  空調エア、９  蓄熱板、１０  空調ダクト、１１  空気調和機、１２  室温センサー、１３  還流口
【図１】
2011149677.tif 000003
【図２】
2011149677.tif 000004
【図３】
2011149677.tif 000005
【図４】
2011149677.tif 000006
【図５】
2011149677.tif 000007
【図６】
2011149677.tif 000008
【図７】
2011149677.tif 000009
【図８】
2011149677.tif 000010
【図９】
2011149677.tif 000011